(57)【要約】【課題】  網戸が窓の眺望性や採光性を妨げず、また、窓を開けて網戸で通気性を確保する際に、屋外からの虫の屋内への侵入を阻止する。【解決手段】  開口を形作る窓枠１と、この窓枠１に開放動作可能に設けられて開口を開閉する窓Ｗ（枠２およびガラス３）と、屋外Ｏからの虫の屋内Ｉへの侵入を阻止する網戸４とを有してなる網戸構造において、網戸４が伸縮自在自に形成される防虫網４１と、この防虫網４１の一端部４１ａに設けられて窓枠１側への連結を可能にする窓枠側連結手段４２と、防虫網４１の他端部４１ｂに設けられて窓Ｗ側への連結を可能にする窓側連結手段４３とを有してなる。【選択図】  図２
2013100702.tif 000002
【特許請求の範囲】
【請求項１】
開口を形作る窓枠と、この窓枠に開放動作可能に設けられて上記開口を開閉する窓と、屋外からの虫の屋内への侵入を阻止する網戸とを有してなる網戸構造において、上記網戸が伸縮自在に形成される防虫網と、この防虫網の一端部に設けられて上記窓枠側への連結を可能にする窓枠側連結手段と、上記防虫網の他端部に設けられて上記窓側への連結を可能にする窓側連結手段とを有してなることを特徴とする網戸構造。
【請求項２】
上記窓枠側連結手段または上記窓側連結手段の一方または両方が上記窓枠側または上記窓側に対する着脱自在な連結を可能にしてなる請求項１に記載の網戸構造。
【請求項３】
上記窓枠側連結手段または上記窓側連結手段の一方または両方が上記一端部または上記他端部に設けられる一方体と、上記窓枠側または上記窓側に設けられる他方体とを有し、上記一方体と上記他方体とが分離可能に連結されてなる請求項１または請求項２に記載の網戸構造。
【請求項４】
上記窓が上記窓枠に開放動作可能に設けられる枠と、この枠に保持されるガラスとを有してなる請求項１，請求項２または請求項３に記載の網戸構造。
【請求項５】
上記窓が住居における壁に形成の開口に設けられ、あるいは、住居における屋根に形成の開口に設けられる天窓とされ、もしくは、車両の屋根に形成の開口に設けられる天窓とされてなる請求項１，請求項２，請求項３または請求項４に記載の網戸構造。
【請求項６】
上記窓が、外開き型，内開き型，突出し型，外倒し型，内倒し型，平行押し出し型，辷り出し型のいずれかに形成されてなる請求項１，請求項２，請求項３，請求項４または請求項５に記載の網戸構造。
【発明の詳細な説明】
【技術分野】
【０００１】
この発明は、網戸構造に関し、特に、住宅などにおける開口に設けられて屋外からの虫の侵入を阻止する網戸構造の改良に関する。
【背景技術】
【０００２】
従来、住宅などにおける開口には、遮蔽目的で障子が設けられるが、人が出入りしない開口には、一般的に、眺望性や採光性を保障する障子たる窓が設けられると共に、窓を開けて通気性を確保する際の防虫目的で網戸が設けられる。
【０００３】
そして、網戸としては、窓における開閉動作が種々に異なることから、これまでに、種々の態様のものが提案されている。
【０００４】
特許文献１には、折り畳み型の網戸が提案されており、この網戸によれば、網戸が横方向に伸び縮みして開閉動作するので、引き伸ばした使用時に防虫をなし得る一方で、不使用時に折り畳んでおくことで、窓の眺望性や採光性を妨げないようにすることが可能になる。
【先行技術文献】
【特許文献】
【０００５】
【特許文献１】特許第２５６４２４２号公報
【発明の概要】
【発明が解決しようとする課題】
【０００６】
網戸が窓の外側に、あるいは、内側に重ねられて窓を覆うように設けられる場合には、不使用時の網戸が窓の眺望性や採光性を妨げる不具合がある。
【０００７】
それに対して、上記特許文献１に開示の提案にあっては、網戸が折り畳み型に形成され、不使用時に畳んでおけるので、窓の眺望性や採光性を妨げないようにすることが可能になる。
【０００８】
しかし、使用時には、窓を開けて網戸を伸ばす操作をしなければならないから、窓を開けた時点で、屋外からの虫が屋内に侵入することを阻止できなくなる。
【０００９】
また、網戸が屋内側にあり、窓が屋外側にある場合には、通気性を確保するためには、網戸を開けた上で窓を開けることになり、言わば両方が開けられた時点で、屋外からの虫が屋内に侵入すること阻止できなくなる。
【００１０】
つまり、従来の網戸構造にあっては、網戸が窓の眺望性や採光性を妨げないとしても、網戸による通気性を確保するために窓を開けた時点で、屋外からの虫が屋内に侵入することを阻止できない可能性があった。
【００１１】
この発明は、上記した現状を鑑みて創案されたものであって、その目的とするところは、網戸が窓の眺望性や採光性を妨げず、また、窓を開けて網戸で通気性を確保する際に、屋外からの虫が屋内に侵入することを阻止できる網戸構造を提供することである。
【課題を解決するための手段】
【００１２】
上記した目的を達成するために、この発明による網戸構造の構成を、開口を形作る窓枠と、この窓枠に開放動作可能に設けられて上記開口を開閉する窓と、屋外からの虫の屋内への侵入を阻止する網戸とを有してなる網戸構造において、上記網戸が伸縮自在に形成される防虫網と、この防虫網の一端部に設けられて上記窓枠側への連結を可能にする窓枠側連結手段と、上記防虫網の他端部に設けられて上記窓側への連結を可能にする窓側連結手段とを有してなるとする。
【００１３】
それゆえ、この発明にあっては、網戸における防虫網の一端部が窓枠側連結手段を有し他端部が窓側連結手段を有するから、防虫網を各側の連結手段によって窓枠側と窓側とに連結し得て、窓を覆わない状態に網戸を設けることが可能になる。
【００１４】
そして、この発明にあって、各側の連結手段で窓枠と窓とに連結された網戸は、防虫網が伸縮自在に形成されるから、窓の一部または全部を窓枠から離して開口を開放する際に窓の動きに追随して広がり、窓枠と窓との間に出現する一部または全周となる空きを遮蔽する。
【００１５】
つまり、この発明にあっては、開口を遮蔽する窓を開けて網戸による通気性を確保するとき、網戸が窓の動きに追従して広がるので、網戸を開閉操作などすることなく、窓と窓枠との間に網戸を設けることができ、窓と網戸の両方が同時に開けられる状況を招来しない。
【発明の効果】
【００１６】
その結果、この発明によれば、網戸が窓の眺望性や採光性を妨げず、また、窓を開けて網戸で通気性を確保する際に、屋外からの虫が屋内に侵入することを阻止できる。
【図面の簡単な説明】
【００１７】
【図１】この発明の実施形態を示す概略斜視図で、（Ａ）は、住宅の壁に設けた窓部分および屋根に設けた天窓部分にこの発明が具現化された状態を示し、（Ｂ）は、車両の屋根に設けた天窓部分にこの発明が具現化された状態を示す。
【図２】この発明による網戸構造を具現化した一実施形態を示す横断面図である。
【図３】網戸の一実施形態を示す斜視図である。
【図４】網戸における窓側連結手段と共に窓枠側連結手段を拡大して示す部分横断面図である。
【図５】外開き型に形成の窓が戸先側を屋外に突出させた開放状態を部分的に示す拡大横断面図である。
【図６】全面平行押し出し型に形成の窓が押し出しされた開放状態を部分的に拡大して示す横断面図である。
【図７】網戸の窓枠および窓への連結状態の他の実施形態を示す部分拡大横断面図である。
【発明を実施するための形態】
【００１８】
以下に、図示した実施形態に基づいて説明するが、この発明は、図１（Ａ）に示すように、障子たる窓Ｗを有する住宅Ｈにおける壁Ｈ１に形成の開口（符示せず）部分への具現化に向き、あるいは、障子たる天窓Ｗ１を有する住宅Ｈにおける屋根Ｈ２に形成の開口（符示せず）部分への具現化に向き、さらには、図１（Ｂ）に示すように、障子たる天窓Ｗ２を有する車両Ｃにおける屋根Ｃ１に形成の開口（符示せず）部分への具現化に向く。
【００１９】
そこで、以下の説明においては、この発明が障子たる窓Ｗを有する住宅Ｈにおける壁Ｈ１に形成の開口部分に具現化される場合を例にして説明する。
【００２０】
この発明による網戸構造は、図２に示すように、窓枠１と、窓Ｗ（枠２およびガラス３）と、網戸４とを有し、窓Ｗを開けて通気性を確保する際に、網戸４が屋外Ｏからの虫の屋内Ｉへの侵入を阻止するように構成されている。
【００２１】
窓枠１は、住宅Ｈ（図１（Ａ）参照）などにおける人が出入りしない開口を形作る基枠であって、開口は、住宅Ｈの壁Ｈ１（図１（Ａ）参照）などを形成する躯体Ｂに設けられ、屋外Ｏと屋内Ｉとの連通を許容して採光や通気を許容する。
【００２２】
ちなみに、躯体Ｂの構成については、住宅などの構成材料で異なり、木質系とされたり、コンクリート系とされたりして、任意となるが、躯体Ｂの構成の相違がこの発明の成立を妨げないことはもちろんである。
【００２３】
また、窓枠１は、躯体Ｂに形作った開口の内周を仕上げると共に、後述する窓Ｗの連結保持を可能にするもので、図示する実施形態では、正面形状が額縁状になるように形成されてなる。
【００２４】
つまり、一般的に、窓Ｗは、正面形状を矩形にするように形成され、したがって、この窓Ｗを連結保持する窓枠１についても、多くの場合に、正面形状が窓Ｗの正面形状に相似するように、四角形、つまり、額縁状に形成される。
【００２５】
ちなみに、この発明の具現化にあって、窓Ｗの正面形状に相似するように、あるいは、そうでなくても、窓枠１が正面形状を円形にしたり、その他の任意の形状とされたりすることを妨げないのはもちろんである。
【００２６】
そして、窓枠１の構成材については、任意とされて良いが、窓Ｗを構成する後述の枠２がアルミ押出型材あるいは合成樹脂材などからなる場合には、この枠２との連結などの取り合いを考慮すれば、また、この発明の具現化を考慮すると、見付け面１ａや内周面１ｂを平坦に仕上げることを容易に可能にするアルミ押出型材あるいは合成樹脂材などからなるのが好ましい。
【００２７】
なお、窓枠１は、額縁状に形成されるとき、詳しくは図示しないが、上方側部と、下方側部１１と、左右の一対とされて上下端部がそれぞれ上方側部と下方側部１１とに連結される一対の縦部１２，１３とを有してなる。
【００２８】
また、窓枠１は、図示しないが、窓Ｗにおける枠２の戸先側の当接を許容する戸当りを有し、また、枠２との間における衝撃の緩和および防水目的のシールを有するのが好ましい。
【００２９】
そして、上記の衝撃の緩和および防水目的のシールは、図２中に符号Ｓで示すように、後述する網戸４の外側となる窓Ｗにおける枠２に設けられても良く、さらには、図示しないが、網戸４の内側に位置決めされるように、窓枠１の見付け面１ａに設けられるとしても良い。
【００３０】
窓Ｗは、眺望性や採光性を保障しながら開口を遮蔽する障子であって、障子である限りには、開口を開閉可能にしなくても良いが、この発明にあっては、窓枠１に開放動作可能に設けられ、開口で連通可能とされる屋外Ｏと屋内Ｉとを遮蔽を可能にする。
【００３１】
そして、この窓Ｗは、図示するところでは、枠２とガラス３との組立体からなり、図２中に一点鎖線矢印ａで示すように、枠２が図２中で右側となるいわゆる吊元側を枢着側にして図２中で左側となるいわゆる戸先側を屋外Ｏ側に旋回（図５参照）させて、開口を開放する外開き型に形成されてなる。
【００３２】
なお、この発明の具現化に向く窓Ｗとしては、図示しないが、枠２の吊元側を枢着側にして戸先側が屋内Ｉ側に旋回する内開き型、枠２の上端側を枢着側にして下端側が屋外Ｏに向けて突出される突出し型、枠２の下端側を枢着側にして上端側が屋外Ｏに向けて倒される外倒し型、枠２の下端側を枢着側にして上端側が屋内Ｉに向けて倒される内倒し型があり、さらには、辷り出し型および平行押し出し型がある。
【００３３】
そして、同じく図示しないが、縦軸回転型の窓Ｗは、窓Ｗの枠２における上框および下框の中央部が窓枠１の上方側部および下方側部１１の中央部に縦方向に設けられる軸に枢着して水平方向に回転し、また、横軸回転型の窓Ｗは、窓Ｗの枠２における左右となる縦框の中央部が窓枠１の縦部１２，１３の中央部に横方向に設けられる軸に枢着して上下方向に回転する態様になる。
【００３４】
このことからすると、見方によっては、縦軸回転型の窓Ｗは、外開き型と内開き型の窓を連結した態様になり、または、横軸回転型の窓Ｗは、突出し型と内倒し型の窓を連結した態様になるから、これまた、この発明の具現化を可能にする。
【００３５】
枠２は、ガラス３を恒久的に一体的に保持して、ガラス３の採光機能および熱や空気の遮断機能を保障するもので、その限りには、任意に構成されて良い。
【００３６】
近年では、枠２は、操作性や加工などの取扱性、また、コストの面で、アルミ押出型材あるいは合成樹脂材などからなることが多い。
【００３７】
そして、詳しくは後述するが、この発明の具現化を考慮すると、枠２は、見付け面２ａや外周面２ｂを平坦面に仕上げることを容易に可能にするアルミ押出型材あるいは合成樹脂材などからなるのが好ましい。
【００３８】
ガラス３は、窓Ｗにおける眺望性や採光性を保障するもので、熱や空気の遮断を可能にし、その限りには、任意に構成されて良く、たとえば、図示するように、断熱性を向上させるために、複数枚のガラス板３１の間に空気層Ａを設けた複層ガラスとされたり、また、図示しないが、屋外Ｏ側に位置決めされるガラス板３１の空気層Ａに対向する面に特殊な金属膜がコーティングされて遮熱性が高められていたりしていても良い。
【００３９】
また、ガラス３としては、近年複層ガラスが多用される傾向にあるが、旧来の一枚のガラス板３１からなるものであっても良く、また、図示しないが、この一枚からなるガラス板３１が熱線入りとされて結露防止構造とされたり、ピアノ線入りとされて外力に対する強度が向上されたりしてなるとしても良いことはもちろんである。
【００４０】
戻って、窓Ｗを窓枠１に開放動作可能に設ける、すなわち、窓Ｗにおける枠２の窓枠１への連結態様については、枢着軸２ｃ（図２参照）を利用して戸先側を旋回可能（図５参照）としたり、枢着軸２ａを有せずして全面平行押し出し可能（図６参照）としたりする態様になるのが良い。
【００４１】
つまり、枠２の窓枠１への連結態様は、後述する網戸４が言わば無理なく伸縮自在とされることを容易に実現し得るのが良い。
【００４２】
この観点からすると、窓Ｗは、前記したように、図示する外開き型に形成される他、図示しない内開き型，突出し型，外倒し型，内倒し型および縦軸回転型あるいは横軸回転型に形成されてなるのが好ましい。
【００４３】
一方、図示しないが、辷り出し型の窓Ｗのように、枠２の上端側が窓枠１を滑りながら下降すると共に枠２の下端側が屋外Ｏに突出され、あるいは、枠２の吊元側が窓枠１を滑りながら横移動すると共に戸先側が屋外Ｏに突出される場合には、網戸４に一次方向だけでなく二次方向の力も作用することが考えられ、網戸４が捩れるなどすることを鑑みると、余り好ましい連結態様とは言い得ないとも解される。
【００４４】
しかしながら、この発明は、辷り出し型の窓Ｗへの具現化を全く排除する意図はなく、網戸４における伸縮性能が保障されて防虫機能が保障される限りには、この発明の具現化を可能にする連結態様となる。
【００４５】
たとえば、図示しないが、網戸４が二重構造に形成されるなどして、捩れに対処し得るように形成される場合には、辷り出し型の窓Ｗにあってもこの発明の具現化が妨げられることはない。
【００４６】
また、枠２は、前記したように、額縁状に形成され、それゆえ、窓枠１における上方側部に沿うように位置決めされる上端部たる上框（図示せず）と、窓枠１における下方側部１ａに沿うように位置決めされる下端部たる下框２１とを有してなる。
【００４７】
そして、この枠２にあっては、上框および下框２１を左右で連結して窓枠１における一対となる縦部１ｂに沿うように位置決めされる一対の縦框、すなわち、図示するところでは、窓Ｗの回転を可能にするために窓枠１に枢着される枢着側部たる吊元框２２と、反対側の可動側部たる戸先框２３とを有してなる。
【００４８】
そしてまた、この枠２にあっては、図示するところでは、戸先框２３が吊元框２２を回転中心にするようにして旋回される（図２中の一点鎖線矢印ａ参照）。
【００４９】
ちなみに、たとえば、戸先框２３に設けたハンドル（図示せず）を押して戸先框２３側を屋外Ｏ側に押し出すことで、また、ハンドルを引いて戸先框２３側を屋内Ｉ側に引き寄せることで、枠２が回転することになり、言わばガラス３による開口の開閉が可能とされる。
【００５０】
窓枠１および窓Ｗが上記のように形成されるのに対して、網戸４は、屋外Ｏからの虫の屋内Ｉへの侵入を阻止するのを基本とし、以下のように構成される。
【００５１】
すなわち、網戸４は、窓Ｗの開閉動作に追従して広がりまた縮むように伸縮自在とされて、窓Ｗの開放動作時に、屋外Ｏからの虫がいわゆる空いているところを通過して屋内Ｉに侵入することを阻止し得るように構成される。
【００５２】
また、網戸４は、これ自体を開閉操作しなくても、網戸として機能する利用状態を具現化でき、また、不使用時のいわゆる収納状態を具現化できるように構成される。
【００５３】
そして、網戸４は、その収納状態時はもちろんのこと、利用時あっても、窓Ｗの眺望性や採光性を妨げないように構成される。
【００５４】
そこで、この発明にあって、網戸４は、図３に示すように、伸縮自在に形成される防虫網４１と、この防虫網４１の一端部４１ａに設けられてこの一端部４１ａの窓枠１（図２参照）側への連結を可能にする窓枠側連結手段４２と、防虫網４１の他端部４１ｂに設けられてこの他端部４１ｂの窓Ｗ（図２参照）側への連結を可能にする窓側連結手段４３とを有してなる。
【００５５】
防虫網４１は、窓Ｗの開閉動作に追従して広がりまた縮むように伸縮自在とされるもので、そのため、図示するところでは、折り畳み自在に形成されることで伸縮自在とされる。
【００５６】
つまり、防虫網４１は、角筒状に形成の素材を折り畳み可能にするために、山折り線４１ｃおよび谷折り線４１ｄに沿う折り畳みを繰り返すもので、図示するところでは、たとえば、上方の山折り線４１ｃが側方の谷折り線４１ｄに連続すると共に、いわゆる角部に斜めに設けられる上方の変換線４１ｅで上方の谷折り線１ｄおよび側方の山折り線４１ｃに連続する。
【００５７】
そして、側方の山折り線４１ｃが下方の谷折り線４１ｄに連続すると共に、下方の角部に設けられる変換線４１ｅで側方の谷折り線４１ｄおよび下方の山折り線４１ｃに連続する。
【００５８】
上記のように、山折り線４１ｃ，谷折り線４１ｄおよび変換線４１ｅに沿う折り畳みを繰り返すことで、楽器たるアコーデオンにおける蛇腹の態様を呈すことになり、伸縮自在となる。
【００５９】
戻って、防虫網４１は、伸縮自在に形成される限りには、自由に構成されて良く、それゆえ、これまでに凡そ防虫網して周知されている構成からなるとして良い。
【００６０】
たとえば、塩ビ原糸で１８メッシュに形成される、すなわち、１インチ（２．５４センチメートル）四方に１８本の縦糸および横糸を有して網目を形成するとしても良く、この場合には、防虫網４１を安価に製造できると共に、雨水や太陽光などの自然条件に対する比較的長期的な耐久性を期待できる点で有利となる。
【００６１】
そして、防虫網４１は、結果として、防虫機能を達成すれば良いから、金属原糸で形成されて耐久性が向上されたり、スパッタリング加工が施されてマジックミラー的効果を発揮し得るようにされたり、自由な構成を選択できる。
【００６２】
そしてまた、防虫網４１は、通気性を保障するとの観点からすれば、いわゆる網状に構成されているものに限定されず、図示しないが、たとえば、不織布からなるとしたり、シート状体に無数の孔を整列させて、もしくは、散らばして開穿したりしてなるとしても良いこともちろんである。
【００６３】
防虫網４１が不織布や無数の孔を有するシート状体からなる場合には、いわゆる汎用されている防虫網からなる場合に比較して、折り畳み加工に適し、また、繰り返される折り畳み動作に対する高い耐久性を期待できる点で有利となるであろう。
【００６４】
戻って、網戸４における防虫網４１は、蛇腹状に折り曲げ形成されて伸縮自在とされ、図示するところでは、正面形状を四角形にする窓Ｗに適用できるように角筒状に形成されてなる。
【００６５】
そして、この角筒状に形成の防虫網４１との間にいわゆる不要な隙間を出現させないようにするために、窓枠側連結手段４２および窓側連結手段４３が正面形状を四角形にして、防虫網４１の両端部４１ａ，４１ｂにそれぞれ一体的に保持されてなるとする。
【００６６】
そしてまた、この網戸４にあっては、防虫網４１が窓枠側連結手段４２および窓側連結手段４３によって窓枠１と窓Ｗとに連結されると共に、窓Ｗが窓枠１に対して閉鎖動作するときには、窓枠１と窓Ｗとの間に折り畳み状態で挟持され、窓Ｗが窓枠１に対して開放動作されるときに、伸びて窓枠１と窓Ｗとの間に出現する空間たる空きを遮蔽する。
【００６７】
窓枠側連結手段４２は、所望の連結状態、つまり、防虫網４１の一端部４１ａを窓枠１に密着させるなどして屋外Ｏからの虫が容易に通過できる隙間を出現させない限りには、任意の構成が選択されて良い。
【００６８】
また、窓側連結手段４３にあっても、防虫網４１の他端部４１ｂを窓Ｗにおける枠２に密着させるなどして屋外Ｏからの虫が容易に通過できる隙間を出現させない限りには、任意の構成が選択されて良い。
【００６９】
もっとも、この発明の具現化に際しては、窓枠側連結手段４２および窓側連結手段４３が窓枠１および窓Ｗの枠２に着脱可能に設けられるとして、網戸４の交換を可能にしたり、あるいは、埃の除去などのいわゆる水洗い掃除を可能にしたりするのが良い。
【００７０】
ちなみに、窓枠側連結手段４２および窓側連結手段４３が窓枠１および窓Ｗの枠２に着脱可能に設けられずして、網戸４の交換を可能にしなくても、この発明の実施化が妨げられる訳ではない。
【００７１】
以下に、窓枠側連結手段４２および窓側連結手段４３について説明するが、両方の連結手段４２，４３が同一の構成とされる場合もあるので、要する場合を除いて、窓枠側連結手段４２について説明して、窓側連結手段４３についての説明を省略する。
【００７２】
図４は、ベルクロ式ファスナー５を有してなる窓枠側連結手段４２を示すもので、防虫網４１の一端部４１ａに一体的に保持される一方体５１と、窓枠１の見付け面１ａに一体的に保持される他方体５２とを有してなる。
【００７３】
そして、一方体５１は、防虫網４１の一端部４１ａに、また、他方体５２は、窓枠１における見付け面１ａに、接着材（図示せず）を利用するなどの適宜の手段で一体的に連結保持される。
【００７４】
それゆえ、このベルクロ式ファスナー５を有してなる窓枠側連結手段４２にあっては、一方体５１が防虫網４１の一端部４１ａに一体的に連結された状態で、この一方体５１に連結された他方体５２を接着材の利用などで窓枠１における見付け面１ａに一体的連結することで、防虫網４１の一端部４１ａを窓枠１に一体的に連結することが可能になる。
【００７５】
そして、このベルクロ式ファスナー５において、一方体５１に連結された状態の他方体５２を窓枠１の見付け面１ａに固着させるについては、窓Ｗを閉鎖動作させて、窓側連結手段４３と共に防虫網４１を窓Ｗと窓枠１との間に挟持するようにすることで、たとえば、時間の経過で接着材が固化するなどで、所定の固着状態を具現化できる。
【００７６】
そしてまた、図示するところにあっては、窓枠１が、また、窓Ｗの枠２がアルミ押出型材あるいは合成樹脂材などからなることで、平坦に仕上げられた見付け面１ａ，２ａを得ることが容易になり、接着材を利用する他方体５２の窓枠１における見付け面１ａへの、および、一方体５１の窓Ｗの枠２における見付け面２ａへの一体的な連結がそれぞれ容易に実現可能になる利点がある。
【００７７】
なお、窓枠側連結手段４２がベルクロ式ファスナー５を有して窓枠１に連結されるのに対して、窓側連結手段４３についても、同様の構成および過程で窓Ｗの枠２に連結される。
【００７８】
つまり、図４に示すところにあって、窓側連結手段４３は、防虫網４１の他端部４１ｂに一体的に保持される連結部材たる一方体５１と、窓Ｗの枠２の見付け面２ａに一体的に保持される被連結部材たる他方体５２とを有してなる。
【００７９】
そして、一方体５１は、防虫網４１の一端部４１ａに、また、他方体５２は、枠２における見付け面２ａに、接着材（図示せず）を利用するなどの適宜の手段で一体的に連結保持される。
【００８０】
それゆえ、以上のようにして窓枠１および窓Ｗに連結される図示する網戸４にあっては、図５に示す外開き型の窓Ｗによる開口の開放時に、窓枠１と窓Ｗとの間に出現して屋外Ｏ（図２参照）側と屋内Ｉ（図２参照）側との連通を許容する空きを遮蔽する。
【００８１】
この外開き型の窓Ｗにあって、吊元側では、網戸４が言わば折り畳まれて窓枠１と窓Ｗとの間に挟持されている状態にあり、吊元側と戸先側との間では、吊元側から戸先側に向かって網戸４が徐々に広がる状態になって、平面視では、扇形を呈することになる。
【００８２】
それに対して、図６に示すように、窓Ｗが全面平行押し出し型とされる場合には、窓Ｗが全面的に、つまり、窓Ｗの枠２が窓枠１から全周に亙って離れて屋外Ｏに平行に突き出るときに、窓枠１と窓Ｗとの間に屋外Ｏと屋内Ｉとの連通を許容する空きを出現させるが、この空きを網戸４が折り畳み状態から筒状に伸びて遮蔽する。
【００８３】
このことからすると、図６に示す実施形態にあっては、網戸４は、窓Ｗの枠２および窓枠１における四方に連結されるが、図５に示す実施形態にあっては、網戸４は、見掛け上、窓Ｗの枠２における上框，戸先框２３および下框２１の三方および窓枠１における上方側部，縦部１３および下方側部１１の三方に連結される態様になる。
【００８４】
そこで、窓Ｗが外開き型に形成される場合には、窓Ｗの枠２における吊元框２２に近隣する網戸４における相応部位が、窓Ｗの円滑な開閉作動を保障し、防虫機能を損なわない限りにおいて、僅かに折り畳形成され、あるいは、折り畳み形成されていなくても良いと言える。
【００８５】
戻って、上記した網戸４にあっては、窓枠側連結手段４２および窓側連結手段４３がベルクロ式ファスナー５からなるから、網戸４を窓Ｗおよび窓枠１から分離することが可能になり、網戸４の交換を可能にしたり、網戸４の水洗いなど掃除を可能にしたりする。
【００８６】
また、網戸４の窓Ｗおよび窓枠１に対する着脱を可能にするためには、窓枠側連結手段４２および窓側連結手段４３がベルクロ式ファスナー５からなるのに代えて、図示しないが、磁石あるいはホックの利用による着脱可能構造に形成されたり、着脱を容易にはしないが、両面粘着テープが利用されたりしても良い。
【００８７】
そして、網戸４にあっては、窓枠側連結手段４２および窓側連結手段４３を有するが、この発明にあっては、網戸４自体を掴むなどして開閉操作する必要がないから、上記の窓枠側連結手段４２および窓側連結手段４３を頑丈に構成して網戸４を強度部材にすることが要請されず、従来のフレーム構造からなる網戸に比較して、網戸４の構成を簡素化でき、網戸４を安価にできる利点がある。
【００８８】
図７は、網戸４を設ける場所を変更した実施形態を示すもので、この実施形態にあっては、網戸４が窓Ｗの枠２における見付け面２ａと、窓枠１における見付け面１ａとの間ではなく、窓Ｗの枠２における外周面２ｂと、窓枠１における内周面１ｂとの間に設けられるとする。
【００８９】
その他の構成については、前記したところと異ならないので、同じ構成については、図７中に同じ符号を付して、その改めての説明を省略する。
【００９０】
そして、この実施形態にあっても、網戸４における窓枠側連結手段４２および窓側連結手段４３がそれぞれ窓枠１側および窓Ｗ側に着脱自在に連結されても良く、また、固定的に連結されても良いことはもちろんである。
【００９１】
さらに、この実施形態の場合には、窓Ｗを開け閉めするときに、網戸４が扇子をいわゆる広げたり閉じたりするときの動きと同じ動きをすることになる。
【００９２】
それゆえ、この実施形態の場合にも、窓Ｗを開けたときに、窓枠１と窓Ｗとの間に網戸４が設けられるので、窓Ｗにおける眺望性や採光性を妨げることなく、防虫が実現されることになる。
【００９３】
そして、この実施形態の場合は、窓Ｗを閉じた状態にするときに、窓Ｗの枠２を窓枠１に密接させるように近隣させることが可能になるので、前記した実施形態の場合に比較して、窓枠１を含むいわゆる窓の厚さ寸法を小さくできる点で有利となる。
【００９４】
以上のように、この発明の網戸構造にあっては、網戸４における防虫網４１の一端部４１ａが窓枠側連結手段４２を有し他端部４１ｂが窓側連結手段４３を有するから、防虫網４１を各側の連結手段４２，４３によって窓枠１側と窓Ｗ側とに連結し得て、窓Ｗを覆わない状態に網戸４を設けることが可能になる。
【００９５】
そして、この発明の網戸構造にあって、各側の連結手段４２，４３で窓枠１と窓Ｗとに連結された網戸４は、防虫網４１が伸縮自在に形成されるから、窓Ｗの一部または全部を窓枠１から離して開口を開放する際に窓Ｗの動きに追随して広がり、窓枠１と窓Ｗとの間に出現する一部または全周となる空きを遮蔽する。
【００９６】
つまり、この発明の網戸構造にあっては、開口を遮蔽する窓Ｗを開けて網戸４による通気性を確保するとき、網戸４が窓Ｗの動きに追従して広がるので、網戸４を開閉操作などすることなく、窓Ｗと窓枠１との間に網戸４を設けることができ、窓Ｗと網戸４の両方が同時に開けられる状況を招来しない。
【００９７】
したがって、この発明の網戸構造によれば、網戸４が窓Ｗの眺望性や採光性を妨げず、また、窓Ｗを開けて網戸４で通気性を確保する際に、屋外Ｏからの虫の屋内Ｉへの侵入を阻止することが可能になる。
【００９８】
前記したところでは、開口を開放可能に遮蔽する障子がガラス３を有して可視性を備える窓Ｗからなるとしたが、この発明の構成からすれば、開口を開放可能に遮蔽する障子、つまり、窓Ｗが可視性を備えなくても、この発明の具現化を可能にする。
【００９９】
また、前記したところでは、窓枠側連結手段４２および窓側連結手段４３が、それぞれ窓枠１側および窓Ｗ側に着脱可能に連結されるとしたが、これに代えて、窓枠側連結手段４２および窓側連結手段４３のいずれか一方が窓枠１側あるいは窓Ｗ側に着脱可能に連結され、他方が固定的に連結されるとしても良い。
【０１００】
そして、前記したところでは、網戸４が窓枠１と窓Ｗにおける枠２とに連結されるとしたが、この発明が意図するところからすれば、防虫網４１の一端部４１ａが窓枠１側に連結されるのはともかくとして、防虫網４１の他端部４１ｂが窓Ｗにおける枠２ではなく、ガラス３に連結されるとしても良い。
【０１０１】
さらに、前記したところでは、網戸４にあって、防虫網４１が言わば規則正しく折り畳まれてなるが、伸縮自在とされる限りには、防虫網４１が規則正しく折り畳まれていなくても良い。
【符号の説明】
【０１０２】
１  窓枠
１ａ，２ａ  見付け面
１ｂ  内周面
２  枠
２ｂ  外周面
２ｃ  枢着軸
３  ガラス
４  網戸
５  ベルクロ式ファスナー
１１  下方側部
１２，１３  縦部
２１  下框
２２  吊元框
２３  戸先框
３１  ガラス板
４１  防虫網
４１ａ  一端部
４１ｂ  他端部
４１ｃ  山折り線
４１ｄ  谷折り線
４１ｅ  変換線
４２  窓枠側連結手段
４３  窓側連結手段
５１  一方体
５２  他方体
Ａ  空気層
Ｂ  躯体
Ｃ  車両
Ｃ１，Ｈ２  屋根
Ｈ  住宅
Ｈ１  壁
Ｉ  屋内
Ｏ  屋外
Ｓ  シール
Ｗ  窓
Ｗ１，Ｗ２  天窓
【図１】
2013100702.tif 000003
【図２】
2013100702.tif 000004
【図３】
2013100702.tif 000005
【図４】
2013100702.tif 000006
【図５】
2013100702.tif 000007
【図６】
2013100702.tif 000008
【図７】
2013100702.tif 000009